(57)【要約】【課題】大型化する高圧の整流器を導入することなく直流遮断器に対して試験が可能な試験装置及びその試験方法を提供する。【解決手段】直流電流を遮断するための直流遮断器１の試験装置は、以下の構成を備える。（１）直流遮断器１に対して、直流電流を供給する定常電流供給系統。（２）直流遮断器１に対して、定常電流供給系統より供給される直流電流より大きな交流電流を供給する故障電流供給系統。（３）定常電流供給系統と、故障電流供給系統とは、直流遮断器１に対して異なる系統である。【選択図】図１
2015056389.tif 000002
【特許請求の範囲】
【請求項１】
直流電流を遮断するための直流遮断器の試験装置において、
前記直流遮断器に対して、直流電流を供給する定常電流供給部と、
前記直流遮断器に対して、前記定常電流供給部より供給される直流電流より大きな交流電流を供給する故障電流供給部と、
を備え、
前記定常電流供給部と、前記故障電流供給部とは、前記直流遮断器に対して異なる系統に設けられることを特徴とする直流遮断器の試験装置。
【請求項２】
前記定常電流供給部は、
交流電流を発生する第１の短絡発電部と、
前記第１の短絡発電部で発生した交流電流を、直流電流に変換する交流／直流変換部と、
を備えることを特徴とする請求項１に記載の直流遮断器の試験装置。
【請求項３】
前記故障電流供給部は、
交流電流を発生する第２の短絡発電部と、
電流の遮断及び投入を行う投入開閉部と、
を備えることを特徴とする請求項１または請求項２に記載の直流遮断器の試験装置。
【請求項４】
前記故障電流供給部は、更に、
保護遮断器を備えることを特徴とする請求項３に記載の直流遮断器の試験装置。
【請求項５】
直流電流を遮断するための直流遮断器の試験方法において、
前記直流遮断器に対して、前記電力系統が定常状態で流れる大きさの直流電流を供給する定常電流供給部処理と、
前記直流遮断器に対して、前記電力系統に異常が発生した際に流れる故障電流を供給する故障電流供給処理と、
を含み、
前記定常電流と前記故障電流は、前記直流遮断器に対して異なる系統により供給されることを特徴とする直流遮断器の試験方法。
【請求項６】
前記故障電流供給処理は、前記定常電流供給部処理と並行して行われ、
前記定常電流と前記故障電流とが重畳した電流が、前記直流遮断器に流れることを特徴とする請求項５に記載の直流遮断器の試験方法。
【発明の詳細な説明】
【技術分野】
【０００１】
本発明の実施形態は、直流遮断器の遮断性能を検証するための試験装置及びその試験方法に関する。
【背景技術】
【０００２】
交流を直流に変換する変換器はサイリスタ等を用いた他励式と呼ばれる変換器が用いられ、直流送電が行われてきた。近年、ＰＷＭインバータ、コンバータ等を用いた自励式変換器の研究が行われている。
【０００３】
自励式変換器は定電圧制御されるため、直流系統で故障が発生すると、交流系統における故障のように、故障電流が増加する。直流系統を多端子構成にすると、交流系統で用いられている遮断器と同様に直流電流を遮断する遮断器が要求される。この直流遮断器も現在開発途上である。直流遮断器の開発にあたり、遮断性能を検証するためには実際の直流系統で想定される故障条件を模擬した条件で遮断試験を実施しなければならない。そのためには、直流系統での故障電流相当の電流を供給出来る試験装置が必要となる。
【先行技術文献】
【非特許文献】
【０００４】
【非特許文献１】JURGEN HAFNER, BJORN JACOBSON ” Proactive Hybrid HVDCBreaker − A key innovation forreliable HVDC grids” CIGRE International Symposium in Bologna, 2011
【発明の概要】
【発明が解決しようとする課題】
【０００５】
上記自励式変換器を用いた直流送電における故障電流は、電源から故障点までの系統のインダクタンスと抵抗によって増加の時定数が決まる。非特許文献１では、故障電流を供給するために、電源回路にキャパシタＶＤＣを挿入し、遮断器と直列にリアクトルＬＤＣを配しており、直流電流と故障電流は共通の電源回路から供給される。故障電流を遮断後、直流遮断器の遮断部には所定の回復電圧が印加されなければならない。非特許文献１では、電源回路は共通であるため、直流電流を供給するために必要な整流器は回復電圧と同等の電圧で使用可能な高圧の整流器が必要となる。しかし、高圧の整流器を用いると試験装置の大型化、設備導入に高額な設備投資が必要といった課題がある。
【０００６】
本実施形態に係る直流遮断器の試験装置は、上記のような課題を解決するためになされたものであり、短絡発電機などの一般的な交流遮断器の大電力試験設備を有していれば、高額で大型化する高圧の整流器を導入することなく直流遮断器に対して試験が可能な試験装置及びその試験方法を提供する。
【課題を解決するための手段】
【０００７】
上記の目的を達成するために、本実施形態の直流電流を遮断するための直流遮断器の試験装置は、以下の構成を備える。
（１）前記直流遮断器に対して、直流電流を供給する定常電流供給部。
（２）前記直流遮断器に対して、前記定常電流供給部より供給される直流電流より大きな交流電流を供給する故障電流供給部。
（３）前記定常電流供給部と、前記故障電流供給部とは、前記直流遮断器に対して異なる系統に設けられる。
【０００８】
また、直流遮断器の試験方法も本発明の一態様である。
【図面の簡単な説明】
【０００９】
【図１】第１の実施形態に係る直流遮断器の試験装置の構成を示す回路図である。
【図２】第１の実施形態に係る試験装置の電流波形図であり直流電流、故障電流、サージアブソーバ電流を示す波形図である。
【図３】第１の実施形態に係る試験時に流れる直流電流を示す回路図である。
【図４】第１の実施形態に係る試験時に流れる直流電流及び故障電流を示す回路図である。
【図５】第１の実施形態に係る試験時に流れる直流電流、故障電流、及びサージアブソーバ電流を示す回路図である。
【図６】第１の実施形態に係る試験時に流れる直流電流、及びサージアブソーバ電流を示す回路図である。
【図７】第１の実施形態に係る試験時に流れる電流を示す回路図である。
【発明を実施するための形態】
【００１０】
［第１の実施形態］
以下では、本実施形態の直流遮断器の試験装置及び試験方法について、図１乃至３を参照しつつ、説明する。なお、各図を通して同一部分には同一符号を付けることにより重複した説明は適宜省略する。
【００１１】
本実施形態の直流遮断器の試験装置は、試験対象となる直流遮断器に対して直流電流を供給する定常電流供給部と、定常電流供給部より供給される直流電流より大きな交流電流を供給する故障電流供給部と、を備える。この直流遮断器に対する試験では、以下の手順で試験を行う。
（１）試験開始時には、直流遮断器に対して定常電流供給部から定常電流を供給する。
（２）故障電流供給部の投入開閉部を投入し、故障電流を直流遮断器に対して供給する。
（３）直流遮断器の遮断部により電流を遮断すると共に、サージアブソーバにより、故障電流の大きさが制限される。
（４）制限された大きさの故障電流を故障電流供給部の保護遮断器により遮断する。
（５）定常電流をサージアブソーバにより減衰させる。
【００１２】
（全体構成）
図１は、本発明の実施形態に係る直流遮断器の試験装置の回路図である。本実施形態に係る試験装置は、直流遮断器１と、短絡発電機２、整流器３、リアクトル４，５、抵抗６、投入開閉器７、保護遮断器８、及び短絡発電機９を備える。また、試験装置を構成する直流遮断器１、短絡発電機２、投入開閉器７、保護遮断器８、及び短絡発電機９の状態を把握すると共に、それらの制御を行う制御部を備える。
【００１３】
直流遮断器１は、直流遮断器１内を流れる直流電流を２つの異なる方式で遮断する遮断器である。直流遮断器１は、遮断部１０１と、エネルギー吸収部１０２とを備える。遮断部１０１と、エネルギー吸収部１０２とは、並列に設けられる。
【００１４】
遮断部１０１は、回路を流れる電流の遮断／投入を行うスイッチである。遮断部１０１としては、例えば機械的に遮断／投入を行うメカニカルスイッチや半導体を利用することができる。
【００１５】
エネルギー吸収部１０２は、所謂サージアブソーバ（以下、サージアブソーバ１０２とする）である。サージアブソーバ１０２は、サージアブソーバ１０２に印加される過渡的な高電圧のエネルギーの吸収を行う。サージアブソーバ１０２により、遮断部１０１遮断後の電圧の大きさを制限することができる。
【００１６】
直流遮断器１には、直流遮断器１に対して、定常電流を供給する定常電流供給系統と、故障電流を供給する故障電流供給系統の２つの異なる系統が接続される。定常電流供給系統は、直流遮断器１に直流電流を供給するための電源を含み、故障電流供給系統は、故障電流供給用電源を含む。以下、本実施形態の直流遮断器の試験装置の詳細な構成について説明する。
【００１７】
（定常電流供給系統）
定常電流供給系統は、直流遮断器に対して直流電流を供給する。定常電流供給系統は、短絡発電機２、整流器３、リアクトル４、及び抵抗６を含む。短絡発電機２を試験回路に接続するための投入開閉器および切り離すための保護遮断器は図示していない。
【００１８】
短絡発電機２は、短絡電流を発生させる発電機である。短絡発電機２から発生される短絡電流は交流の電流である。短絡発電機２で発生した短絡電流は、整流器３に対して出力される。
【００１９】
整流器３は、短絡発電機２で発生した交流電流を直流電流に整流する整流器である。試験装置においては、交流−直流変換部として機能するように構成される。整流器３で変換された直流電流は、リアクトル４及び抵抗６を介して、直流遮断器１に対して供給される。
【００２０】
（故障電流供給系統）
故障電流供給系統は、直流遮断器１に対して故障電流を供給する。この故障電流は、定常電流供給系統より直流遮断器１に対して供給される直流電流より大きな電流の交流電流である。故障電流供給系統は、リアクトル５、投入開閉器７、保護遮断器８、短絡発電機９を含む。
【００２１】
短絡発電機９は、短絡電流を発生させる発電機である。短絡発電機９は、短絡発電機２と比較として高圧の電源回路を備え、短絡発電機２で発生した短絡電流より大きな故障電流を発生する。短絡発電機９から発生した短絡電流は、保護遮断器８、投入開閉器７、リアクトル５を介して直流遮断器１に対して供給される。
【００２２】
保護遮断器８は、遮断／投入により、故障電流供給系統を流れる故障電流の遮断を行う遮断部である。故障電流供給系統を流れる故障電流の電流零点で遮断を行う。
【００２３】
投入開閉器７は、遮断／投入により、故障電流供給系統を直流遮断器に対して接続または離脱を行う開閉器である。
【００２４】
（作用）
このように構成された本実施形態の直流遮断器の試験装置の動作を図２乃至７を用いて詳述する。直流遮断器１の試験は、直流遮断器１に対して定常電流系統から直流電流を供給した状態で、更に直流遮断器１に対して故障電流供給系統から故障電流を供給することで試験を実施する。以下、本実施形態の直流遮断器の試験の詳細な構成について説明する。
【００２５】
図２は試験開始から、直流遮断器１に直流電流及び故障電流が供給され、故障電流を遮断する過程における電流波形を示している。直流電流１０は低圧の直流電流供給用の電源回路より供給され、直流遮断器１の遮断部１０１を流れる。故障電流１１は高圧の故障電流供給用の電源回路より供給され直流遮断器１の遮断部１０１を流れる。また、サージアブソーバ電流１２は直流遮断器１の遮断部１０１遮断後に、サージアブソーバ１０２に流れる電流である。
【００２６】
（１）試験開始時
試験開始時は、図３に示すように、直流遮断器１及び保護遮断器８は閉路状態、投入開閉器７は開路状態とし、直流遮断器に対して定常電流供給部から定常電流を供給する。図２の時間軸のＡ時点において短絡発電機２を励磁し、短絡発電機２から供給された交流電流は整流器３により直流電流に変換される。整流器３から直流遮断器までに配されているリアクトル４、抵抗６、接続母線のインダクタンスによって決まる時定数で増加する直流電流１０が直流遮断器１に供給される。
【００２７】
一方、短絡発電機９はあらかじめ所定の電圧を励磁しておき、投入開閉器７によって直流遮断器１とは切り離されている。図２に示すように、直流電流１０は時間軸のＢ時点においてほぼ定常状態となっている。
【００２８】
（２）故障電流の供給
次に、故障電流１１を直流遮断器１に対して供給する。故障電流１１の供給は、図４に示すように、遮断状態にある投入開閉器７を投入し、故障電流供給系統を直流遮断器１に対して接続することで行う。図２の時間軸Ｂ時点において投入開閉器７を投入すると短絡発電機９の出力電圧とリアクトル５によって決まる大きさの故障電流１１が直流遮断器１に供給され、直流遮断器１には直流電流１０に故障電流１１が重畳された電流が流れる。
【００２９】
（３）遮断部１０１の遮断
その後、図５に示すように遮断部１０１を開路し電流の遮断を行う。図２に示す時間軸のＣ時点で、遮断部１０１を開路することで、直流電流１０および故障電流１１が遮断されると、リアクトル４及び５に発生する電圧により、サージアブソーバ１０２が動作する。このため、短絡発電機９から供給される故障電流１１は、サージアブソーバ１０２に流れる。同時に、定常電流供給部から定常電流１０もサージアブソーバ１０２に流れる。すなわち、サージアブソーバ１０２に流れるサージアブソーバ電流１２は、定常電流１０と故障電流１１とを重畳した電流である。
【００３０】
（４）故障電流の遮断
遮断部１０１の遮断後、サージアブソーバ１０２に短絡発電機９から供給される故障電流１１が供給されると、図６に示すように、保護遮断器８を遮断状態とし故障電流１１の遮断を行う。
【００３１】
サージアブソーバ１０２に流れる故障電流１１は、サージアブソーバ１０２で大きさが制限される交流電流である。そのため、電流零点で保護遮断器８によって遮断することができる。故障電流１１の電流零点の一つは、図２におけるＤの時点である。Ｃの時点直後の電流零点において保護遮断器８が遮断しても構わない。
【００３２】
故障電流の供給時には、故障電流１１は、直流遮断器１に対して流れるため定常電流供給系統に対して流れることはない。さらに、遮断部１０１が遮断状態となっても、故障電流１１は、サージアブソーバ１０２に対して流れ、電流零点で保護遮断器８によって遮断される。これにより、短絡発電機９の高電圧は低圧の電源回路には印加されない。
【００３３】
（５）定常電流の減衰
図６に示すように、故障電流１１の遮断後において、直流遮断器１に対して定常電流供給系統からは、直流電力が供給される。供給される直流電流１０はサージアブソーバ１０２によって減衰し、図２におけるＥの時点で零となる。
【００３４】
以上のように、直流系統の故障発生時の電流を低圧で定常状態の直流電流を供給する電源回路と高圧で故障電流１１のみを供給する電源回路の２系統に分けて供給することで直流系統での故障発生時の直流遮断器の遮断性能を検証することが出来る。
【００３５】
（効果）
（１）本実施形態によれば、直流系統の定常電流を供給する電源回路は高電圧を印加する必要がなく、直流遮断器に印加される回復電圧に対して格段に低い定格電圧の整流器で回路を構成することが出来る。
【００３６】
（２）故障電流１１を供給する回路は故障電流１１のみを供給すればよいので、直流電流を供給する必要がなく短絡発電機と投入開閉器、保護遮断器で構成する短絡試験設備で故障電流１１を供給することが出来る。したがって、短絡発電機などの一般的な交流遮断器の大電力試験設備を有していれば、高額で大型化する高圧の整流器を導入することなく直流遮断器の試験装置を提供することが可能となる。
【００３７】
［その他の実施形態］
本明細書においては、本発明に係る複数の実施形態を説明したが、これらの実施形態は例として提示したものであって、発明の範囲を限定することを意図していない。具体的には、第１の実施形態は、その他の様々な形態で実施されることが可能であり、発明の範囲を逸脱しない範囲で、種々の省略や置き換え、変更を行うことができる。これらの実施形態やその変形は、発明の範囲や要旨に含まれると同様に、特許請求の範囲に記載された発明とその均等の範囲に含まれるものである。
【００３８】
すなわち、第１の実施形態においては、直流遮断器１、短絡発電機２、整流器３、投入開閉器７、保護遮断器８、短絡発電機９としたが、発明の範囲を限定することを意図していない。例えば、整流器３としては、交流電流を直流電流に変換することが可能な交流−直流変換部を使用することもできる。
【符号の説明】
【００３９】
１      直流遮断器
１０１  遮断部
１０２  サージアブソーバ
２      短絡発電機
３      整流器
４，５  リアクトル
６      抵抗
７      投入開閉器
８      保護遮断器
９      短絡発電機
１０    直流電流
１１    故障電流
１２    サージアブソーバ電流
【図１】
2015056389.tif 000003
【図２】
2015056389.tif 000004
【図３】
2015056389.tif 000005
【図４】
2015056389.tif 000006
【図５】
2015056389.tif 000007
【図６】
2015056389.tif 000008
【図７】
2015056389.tif 000009